(57)【要約】【課題】浴槽の残り湯を捨てることなくトイレで再利用できるようにするために、取り付けが簡単で、市販の家庭用バスポンプなどが利用でき、使い勝手のよい一般家庭普及型のトイレロータタンクへの浴槽残り湯送水装置を提供する。【解決手段】トイレロータタンクには、殆どの器具において上水道接続口がトイレロータタンク左右側面に１つずつ設けられている。これは、トイレ内の水道管の設置状況に合わせて都合の良い方の接続口を使用できるように設けられているものである。このトイレロータタンクの上水道給水管接続口の内、未使用になっている一方を利用して取り付ける構造を特徴とする、上下左右のアジャスト機能付ステーに取り付けられたフロートスイッチを備える（１ａ〜１ｇ）からなる外部水給水部品をトイレロータタンクの上水道給水管接続口に直接取り付けることにより、取り付けが簡単で、トイレロータタンクへの加工が一切いらないばかりではなく、この外部水給水部品に取り付けられたフロートスイッチ（１ａ）の作用により回路を開閉する中間スイッチ（４）との組み合わせにより、家庭用バスポンプなどを使って送水することが出来ることを特徴とする。【選択図】　　図１
2004132161.tif 000002
【特許請求の範囲】
【請求項１】
トイレロータタンクの上水道給水管接続口の内、未使用になっている一方を利用して取り付ける構造を特徴とする、上下左右のアジャスト機能付ステーに取り付けられたフロートスイッチを備える（１ａ〜１ｇ）からなる外部
水給水部品と
【図２】
【図３】に示す如く市販の家庭用バスポンプなどを制御し、トイレロータタンクへの給水を可能とするために、その家庭用バスポンプなどの電源プラグとコンセントの間に設ける、フロートスイッチ（１ａ）の作用で回路を開閉させる中間スイッチユニットを組み合わせた装置の構造。
【請求項２】
【図３】に示す如く、入浴時障害にならないように配慮された脱着式ホースアタッチメント（１１）による送水管取り付け方法。
【発明の詳細な説明】
【０００１】
【考案の属する技術分野】
本発明は、浴槽の残り湯をトイレロータタンクへ送水することによりトイレの節水を促す設備に関するものである。
【０００２】
【従来の技術】
ロータタンクに新たに専用給水口を開け、または、実用新案登録番号第３０２８３５１号のようにロータタンク本体と上部手洗い機の間に給水部品を挟み、ポンプとセンサーで浴槽に据え付けた汲み取り管より残り湯を汲み上げ送水制御する装置があった。しかし、ロータタンクに新たに専用給水口を開ける方法はその施工自体が難しい上に、タンクの耐久性に悪い影響を与えてしまう事が予想される。また、ロータタンク本体と上部手洗い機の間に給水部品を挟む様な装置ではトイレロータタンクと上部手洗い器の間に給水部品を挟んだ時に生じる隙間を埋めるスペーサーが必要となり、スペーサーに使用する部品についてもタンクにはいろいろな形状があるため、その施工性と合わせて障害となっていた。このタンク形状の多様性はポンプの制御を司るフロートスイッチの取り付けにも障害であった。さらに、特開平１１−２００４４９のようにトイレロータタンクと浴槽などの間に設けた送水ホースの中間にポンプを設け、ポンプ作動に必要な呼び水を、ホースに逆流防止弁を設けて確保し、ポンプを作動させることによって送水する発明もあるが、浴槽の残り湯のように汚れや垢を含む水の送水を繰り返す様な場合、弁などのデリケートな部品は、こまめに掃除をしなければ垢などの付着物によって弁による機密性が十分に保てず機能できなくなってしまうことが予想され、一般に広まるような製品への実現化は困難が予想される。恐らくこれらの理由から製品化が進まず、「入浴後の残り湯の栓を抜いて大量の水を流してしまうのはもったいないので再利用したい。」と言う要望が非常に多いにもかかわらず、残り湯などの水のトイレへの再利用システムがなかなか一般に普及出来ていないことが予想される。
【０００３】
【発明が解決しようとする課題】
上記のように従来は
イ）　ロータタンク本体を加工または、ロータタンク本体と上部手洗い器の間に給水部品の取り付けが必要であって、簡易に取り付けられるものではなかった。
ロ）　制御を司るフロートスイッチの調整はロータタンク内の貯水量を調整する上下アジャスト機能だけでなく左右にもアジャスト可能でなければ、多様なロータタンクの形状に対応できない。（ロータタンク内の既設の部品との干渉を避けられない）
ハ）　浴槽にポンプを常設する設備は、入浴時の障害であるばかりではなく、入浴者が転倒した場合などにはその器具が思わぬケガの原因にもなる可能性がある。ポンプを浴槽（浴室）の外へ設置し、送水の為の管だけを浴槽へ引き込む方法では、呼び水を常に管の中に確保することが困難である。また、浴槽自体に加工を加え配管を支障のないものにするには大掛りな設備、工事、コストがかかった。節約の為とは言え、その見込める節約コスト以上に設置を含む設備コストがかかってしまっては、例えエコロジックな発想のものであっても一般に受け入れられがたい。
本発明は、これらの問題を解決し、一般家庭にトイレでの浴槽残り湯再利用を広く普及させるためになされたものである。
【０００４】
【課題を解決するための手段】
トイレロータタンクには、殆どの器具において上水道接続口がトイレロータタンク左右側面に１つずつ設けられている。これは、トイレ内の水道管の設置状況に合わせて都合の良い方の接続口を使用できるように設けられているものである。このトイレロータタンクの上水道給水管接続口の内、未使用になっている一方を利用して取り付ける構造を特徴とする、上下左右のアジャスト機能付ステーに取り付けられたフロートスイッチを備える（１ａ〜１ｇ）からなる外部水給水部品を上水道給水管接続口に直接取り付けることによって、ロータタンク自体の加工や、ロータタンク本体と上部手洗い器の間への給水部品の取り付けの為のスペーサー部品が必要なく、ロータタンクは外観上、本体にホースがつながれただけである。取り付け自体が簡易になるため、手間、コストの削減が期待できる。また、フロートスイッチ（１ａ）の配線（２）は、給水口部品を構成する部品のひとつであるワッシャー（１ｅ）（１ｆ）に開けられた配線逃がし穴を通しロータタンク内から外部へ導かれ、家庭用電源コンセントに接続される中間スイッチユニット本体（４）内蔵のリレーに接続される。
【図３】に示す如く、ロータタンクからつながれた送水用の管（１０ａ）は、脱着可能なアタッチメント（１１）を介して、バスポンプ等のポンプを備えた送水用の管（１０ｂ）に接続され、浴槽内へと設置される。
これにより、入浴時は、アタッチメント（１１）部から浴槽内のバスポンプ等のポンプを備えた送水用の管（１０ｂ）を取り外し浴室外へ収納し、従来通りの浴室環境を確保することができる。ここで、アタッチメント（１１）部を浴室内に設けておけば、取り外しの際、浴室内でアタッチメント（１１）から送水用の管を外すので、送水用の管（１０ａ）及び（１０ｂ）内に残った水は浴室外にこぼれる事はない。
また、家族全員の入浴が終了した時点で再びアタッチメント（１１）に入浴中に取り外したバスポンプ等のポンプを備えた送水用の管（１０ｂ）を取り付け、浴槽内に設置し、ポンプのスイッチを入れることによりトイレロータタンクへの自動給水を可能にする。
【図２】
【図３】の示す如くバスポンプ等のポンプの電源は、フロートスイッチによって開閉を制御される中間スイッチユニット本体（４）に設けられた制御用コンセント部（７）からとることによりポンプ自体の主電源を制御するものである。この送水システムにおいてポンプ部ユニットは設備としては完全に独立し、一切の加工を要さないため、ポンプの寿命や故障時には家庭用電源を使用する市販ポンプであれば汎用できる。また中間スイッチユニット本体（４）には、洗濯機置き場のコンセントなどを使用した際、既存の電化製品の電源を確保するために、通常使用が可能な予備コンセント（６）が設けられる。
中間スイッチユニット本体（４）には、電源コンセントへの取り付けが、必要に応じビス止めが出来るように、ビス止め穴（５）が設けられる。
本発明は、以上のような特徴を備えた送水システムを可能にする部品の構造である。
【０００５】
【発明の実施の形態】
以下、本発明の実施の形態について説明する。
本発明の部品は、ロータタンク給水口部品とそれに組み合わされた制御中間スイッチユニット及びポンプに接続される脱着式送水管であり、これらは浴槽残り湯のトイレロータタンクへの送水を容易に可能にするものであるばかりでなく、設置性を含め使い勝手も向上させ広く一般に普及させるこことを可能とするものである。
【図３】は本発明の設置例を表すものである。図が示す如く（１ａ〜１ｇ）からなる給水部品をトイレロータタンクに取り付け、送水用の管（１０ａ）を取り付ける。この時、送水管に使用する管は、耐久性、美観及び施工性を考慮し、径の太い一般用ホース水道管のようなものより、シャワーホースを流用することとする。また、その配管方法は、浴室まで最短の距離で施工したいので壁にスリーブ処理を施しホースの露出も最小限にし浴室内まで伸ばし、タッチメント（１１）を取り付ける。次に、概ね浴室は洗濯機置き場のある洗面所などと隣り合っているのでその洗濯機用のコンセントへ中間スイッチユニットを接続する。給水口部品のフロートスイッチ（１ａ）へ接続する配線は、送水管と同じ経路でトイレ内へと設置し接続する。市販の家庭用バスポンプなどを（１０ｂ）に取り付け，さらに、浴槽にポンプ部を設置した時にアタッチメント（１１）に接続可能な長さにこの（１０ｂ）を加工し、アタッチメント（１１）を介し送水管（１０ａ）に接続する。ポンプの電源プラグを中間スイッチユニットに接続しスイッチをオンの状態にしておくことにより、通常のトイレロータタンクのレバー操作でトイレロータタンクの水が給水口部品のフロートスイッチ（１ａ）の設定水位より減るとフロートスイッチ（１ａ）の作用により中間スイッチユニット本体（４）に内蔵されたリレーが通電し、中間スイッチユニット本体にセットされたポンプの電源を通電させることによって送水作業を開始する。また、トイレロータタンク内の水位がフロートスイッチ（１ａ）の設定水位に達するとそのフロートスイッチ（１ａ）の作用により中間スイッチユニット本体（４）に内蔵されたリレーが回路を遮断し中間スイッチユニット本体にセットされたポンプの電源を遮断することによって送水作業を停止する。
【０００６】
【発明の効果】
以上のように、本発明は、浴槽の残り湯をトイレに再利用し、節水効果をもたらすための送水装置に係わるものであるが、従来のものと違い、トイレロータタンクの上水道給水管接続口の内、未使用になっている一方を利用して取り付ける構造を特徴とする、上下左右のアジャスト機能付ステーに取り付けられたフロートスイッチを備える（１ａ〜１ｇ）からなる外部水給水部品を取り付けることにより、トイレロータタンクを加工することなく、またロータタンク本体と上部手洗い器の間への給水部品の取り付けの為のスペーサー部品が必要なく簡単に取り付けられる構造であるので、部品の小型化及び低コスト化が可能となり、部品を装着した時の外観も損なわない。また、送水に使われるポンプ部も、この外部水給水部品に組み合わされた、フロートスイッチ（１ａ）の作用で回路を開閉させる中間スイッチユニット（４）に市販の家庭用バスポンプなどを一切加工せずそのまま接続するだけで使用できるので、ポンプ部故障や寿命での交換時、専門家に依頼せずとも、安価で簡単にできる。さらにポンプ部を脱着可能なアタッチメント（１１）に接続された送水ホースに取り付けて使用することにより、入浴時には、簡単に浴槽から取り外し浴室外へ収納することが可能である。
以上により、一般家庭に広く普及できるものである。
【図面の簡単な説明】
【図１】本発明の斜視図
【図２】本発明の中間スイッチ本体断面図及びリレー回路図
【図３】本発明の設置図
【符号の説明】
１ａ　　フロートスイッチ
１ｂ　　アジャスト式ステー
１ｃ　　アジャスト調整ネジ
１ｄ　　外部水給水部品本体（雌）
１ｅ　　ワッシャー
１ｆ　　ワッシャー
１ｇ　　外部水給水部品本体（雄）
２　　　フロートスイッチ配線
３　　　ヒューズ
４　　　中間スイッチユニット本体
５　　　中間スイッチユニット本体ビス止め穴
６　　　予備コンセント部
７　　　制御コンセント部
８　　　プラグ刃部
９　　　リレーユニット部
１０ａ　給水部品側送水ホース
１０ｂ　ポンプ側送水ホース
１１　　ホース脱着アッタチメント
【図１】
2004132161.tif 000003
【図２】
2004132161.tif 000004
【図３】
2004132161.tif 000005